(57)【特許請求の範囲】
【請求項１】
シリンダ状の主弁室を構成する弁ハウジングと、該主弁室に連通する第１ポート及び該主弁室の軸方向端部に連通する第２ポートと、前記主弁室内に該主弁室の軸方向に移動可能に配置されて、主弁室と前記第２ポートとの間に弁ポートを有する副弁と、前記副弁に対する前記軸方向の移動により前記弁ポートを開閉する弁体とを備え、
冷媒を前記第１ポートから前記第２ポートへ流すとき、該第１ポートと第２ポートの差圧により前記副弁を前記第２ポートの周囲に着座させて該第２ポートを閉状態とするとともに、前記弁体により前記弁ポートへ流れる冷媒を絞り、冷媒を逆方向に流すとき、前記第２ポートと第１ポートの差圧により前記副弁を前記第２ポートから離間して該第２ポートを全開状態とするようにした膨張弁において、
前記副弁が前記弁ハウジングの内周面に摺接する複数のガイド板を備え、
前記ガイド板がプレス加工により形成されるとともに、ダレ面が該ガイド板の外側に形成され、該ガイド板の前記軸方向と平行な側縁のみを前記弁ハウジングの内周面に接触させ、該副弁の前記軸方向の移動時に、前記ガイド板と弁ハウジングの内周面とが線接触するようにし、該線接触する部分を前記ダレ面としたことを特徴とする膨張弁。
【請求項２】
前記ガイド板が平板状であることを特徴とする請求項１に記載の膨張弁。
【請求項３】
前記ガイド板が前記弁ハウジングの内周面と逆に湾曲していることを特徴とする請求項１に記載の膨張弁。
【請求項４】
前記複数のガイド板が前記軸回りに回転対称に設けられるとともに、該ガイド板の数が３または４であることを特徴とする請求項１乃至３のいずれか一項に記載の膨張弁。
【発明の詳細な説明】
【技術分野】
【０００１】
本発明は、ヒートポンプ式冷凍サイクル中に設けられ、冷媒の第１の流れ方向に対して該冷媒を絞る機能を果たすとともに、圧力損失を極力小さくして大流量を流せるようにした膨張弁に関する。
【背景技術】
【０００２】
従来、ヒートポンプ式冷凍サイクルの多くは、室外熱交換器側（室外ユニット）に膨張弁が設けられており、この場合、膨張弁で膨張された冷媒は長い管路を介して室内熱交換器に流入される。このため、膨張された冷媒に圧力損失が生じやすく、膨張弁における流量制御がしにくいという問題がある。このことは膨張弁を室内熱交換器側に設けた場合も同様である。
【０００３】
これに対して、特開２００９−２８７９１３号公報（特許文献１）に、ヒートポンプ式冷凍サイクルにおいて、冷房モード時には室内熱交換器側で流量制御を含む絞り機能を発揮し、暖房モード時には室外熱交換器側で絞り機能を発揮できるようにした膨張弁が提案されている。
【先行技術文献】
【特許文献】
【０００４】
【特許文献１】特開２００９−２８７９１３号公報
【発明の概要】
【発明が解決しようとする課題】
【０００５】
特許文献１の膨張弁は、冷媒の第１の流れ方向に対して該冷媒を絞る機能を果たすとともに、第２の流れ方向に対して圧力損失を極力小さくして大流量を流すために、副弁としての弁座部材（２，８）を有しており、この弁座部材（２，８）を弁ハウジング（１，７）内で軸線方向に摺動させる構造となっている。
【０００６】
しかしながら、この特許文献１の膨張弁では、弁座部材（２）の大径部（２１）と弁ハウジング（１）の内周面との間に僅かなクリアランスが設けられているだけである。また、弁座部材（８）のガイド板（８２，８３，８４）と弁ハウジング（７）の内周面との間に僅かなクリアランスが設けられているだけである。
【０００７】
このため、大径部（２１）と弁ハウジング（１）の内周面との間、あるいはガイド板（８２，８３，８４）と弁ハウジング（７）の内周面との間に、冷凍サイクルの冷媒中のゴミが噛み込むことがあり、弁座部材の動作が不安定になったり、ロックしてしまう可能性もあり、作動不良となるという問題がある。
【０００８】
本発明は、ヒートポンプ式冷凍サイクルにおいて、弁ハウジング内で副弁を移動させることにより、冷媒の第１の流れ方向に対して該冷媒を絞る機能を果たすとともに、第２の流れ方向に対して圧力損失を極力小さくして大流量を流せるようにした膨張弁において、副弁と弁ハウジングの内周面との間にゴミ等が噛み込まないようにして、動作を安定させることを課題とする。
【課題を解決するための手段】
【０００９】
請求項１の膨張弁は、シリンダ状の主弁室を構成する弁ハウジングと、該主弁室に連通する第１ポート及び該主弁室の軸方向端部に連通する第２ポートと、前記主弁室内に該主弁室の軸方向に移動可能に配置されて、主弁室と前記第２ポートとの間に弁ポートを有する副弁と、前記副弁に対する前記軸方向の移動により前記弁ポートを開閉する弁体とを備え、冷媒を前記第１ポートから前記第２ポートへ流すとき、該第１ポートと第２ポートの差圧により前記副弁を前記第２ポートの周囲に着座させて該第２ポートを閉状態とするとともに、前記弁体により前記弁ポートへ流れる冷媒を絞り、冷媒を逆方向に流すとき、前記第２ポートと第１ポートの差圧により前記副弁を前記第２ポートから離間して該第２ポートを全開状態とするようにした膨張弁において、前記副弁が前記弁ハウジングの内周面に摺接する複数のガイド板を備え、前記ガイド板がプレス加工により形成されるとともに、ダレ面が該ガイド板の外側に形成され、該ガイド板の前記軸方向と平行な側縁のみを前記弁ハウジングの内周面に接触させ、該副弁の前記軸方向の移動時に、前記ガイド板と弁ハウジングの内周面とが線接触するようにし、該線接触する部分を前記ダレ面としたことを特徴とする。
【００１０】
請求項２の膨張弁は、請求項１に記載の膨張弁であって、前記ガイド板が平板状であることを特徴とする。
【００１１】
請求項３の膨張弁は、請求項１に記載の膨張弁であって、前記ガイド板が前記弁ハウジングの内周面と逆に湾曲していることを特徴とする。
【００１２】
請求項４の膨張弁は、請求項１乃至３のいずれか一項に記載の膨張弁であって、前記複数のガイド板が前記軸回りに回転対称に設けられるとともに、該ガイド板の数が３または４であることを特徴とする。
【発明の効果】
【００１４】
請求項１の膨張弁によれば、絞り機能を果たす方向に冷媒を流すときと、逆方向に流して冷媒の流量を大流量として圧力損失を低減する時とを切り換えるために、副弁が弁ハウジングの主弁室内で移動するとき、ガイド板と弁ハウジングの内周面とが線接触するだけであり、ガイド板と弁ハウジングの内周面との間にゴミ等が噛み込むことがなく、安定した動作を得ることができる。さらに、弁ハウジングの内周面と線接触するガイド板の側縁の接触部分はダレ面となりプレス加工のバリがないので、副弁が容易に摺動し、安定した動作が得られる。
【００１５】
請求項２の膨張弁によれば、請求項１の効果に加えて、ガイド板をプレス加工により平板状（フラット）に形成すればよいので、加工が容易となる。
【００１６】
請求項３の膨張弁によれば、請求項１の効果に加えて、ガイド板と弁ハウジングの内周面との間隔が広くなる分、ゴミ等が噛み込むのをさらに防止でき、さらに安定した動作を得ることができる。
【００１７】
請求項４の膨張弁によれば、請求項１乃至３の効果に加えて、ガイド板の数が好適であり、ガイド板による副弁を安定してガイドできるとともに、ガイド板の数が多すぎてガイド板と弁ハウジングの内周面との間隔を小さくすることもない。
【図面の簡単な説明】
【００１９】
【図１】本発明の実施形態の膨張弁の絞り状態の縦断面図である。
【図２】同膨張弁の全開状態の縦断面図である。
【図３】本発明の実施形態における副弁の平面図及び縦断面図である。
【図４】本発明の実施形態における副弁のガイド部材と弁座部材の組立前の斜視図である。
【図５】本発明の実施形態における副弁の組立状態の斜視図である。
【図６】本発明の実施形態における副弁の他の例を示す図である。
【図７】本発明の実施形態の膨張弁を備えたヒートポンプ式冷凍サイクルを示す図である。
【発明を実施するための形態】
【００２０】
次に、本発明の膨張弁の実施形態を図面を参照して説明する。図７は実施形態の膨張弁を設けたヒートポンプ式冷凍サイクルを示す図であり、先ず、図７に基づいて実施形態に係るヒートポンプ式冷凍サイクルについて説明ずる。図７において、符号１０1 ，１０2 は本発明の実施形態の第１の膨張弁及び第２の膨張弁であり、第１の膨張弁１０1 は室外ユニット１００に搭載され、第２の膨張弁１０2 は室内ユニット２００に搭載されている。膨張弁１０1 ，１０2 、室外熱交換器２０、室内熱交換器３０、流路切換弁４０、及び圧縮機５０は、それぞれ導管によって図示のように接続され、ヒートポンプ式の冷凍サイクルを構成している。
【００２１】
冷凍サイクルの流路は流路切換弁４０により「冷房モード」および「暖房モード」の２通りの流路に切換えられる。冷房モードでは、圧縮機５０で圧縮された冷媒は流路切換弁４０から室外熱交換器２０に流入され、第１の膨張弁１０1 を介して管路ａを流れて第２の膨張弁１０2 に流入される。そして、この第２の膨張弁１０2 で冷媒が膨張され、室内熱交換機３０に流入される。この室内熱交換器３０に流入された冷媒は、流路切換弁４０を介して圧縮機５０に流入される。暖房モードでは、圧縮機５０で圧縮された冷媒は流路切換弁４０から室内熱交換器３０に流入され、第２の膨張弁１０2 、管路ａを通って第１の膨張弁１０1 に流入される。そして、この第１の膨張弁１０1 で冷媒が膨張され、室外熱交換器２０、流路切換弁４０、圧縮機５０の順に循環される。
【００２２】
ここで、膨張弁１０1 ，１０2 は冷媒の流量を制御しない全開状態と、冷媒の流量を制御する絞り状態とをとり、全開状態では継手管１２から冷媒が流入して継手管１１から流出する。また、絞り状態では継手管１１から冷媒が流入して継手管１２から流出する。すなわち、冷房モードにおいては第１の膨張弁１０1 は全開状態で第２の膨張弁１０2 が絞り状態となり、また、暖房モードにおいては、第２の膨張弁１０2 が全開状態で第１の膨張弁１０1 が絞り状態となる。また、冷房モード及び暖房モードのいずれのモードでも、第１の膨張弁１０1 と第２の膨張弁１０2 を接続する管路ａでは冷媒の流れは大流量となり、絞り機能を持つ膨張弁手前での圧力損失を低減することができ、運転能力が向上する。
【００２３】
次に、実施形態の膨張弁１０1 ，１０2 について説明する。図１は実施形態の膨張弁の絞り状態の縦断面図、図２は同膨張弁の全開状態の縦断面図、図３は実施形態における副弁の平面図（図３(A) ）及び縦断面図（図３(B) ）、図４は副弁のガイド部材と弁座部材の組立前の斜視図、図５は副弁の組立状態の斜視図である。なお、膨張弁１０1 ，１０2 の符号の添え字は、第１の膨張弁と第２の膨張弁とを区別するものであるが、以下の説明において両者を区別しない場合など添え字は適宜省略する。
【００２４】
図１及び図２に示すように、膨張弁１０は、弁ハウジング１を有し、弁ハウジング１には円筒シリンダ状の主弁室１Ａを形成する本体部１ａと、本体部１ａの下端から下方に延びる筒状部１ｂを有している。弁ハウジング１には、主弁室１Ａの片側内周面に継手管１１が取り付けられ、この継手管１１の端部は主弁室１Ａに開口する第１ポート１１ａとなっている。また、筒状部１ｂ内の主弁室１Ａ側にはステンレス製の弁座リング３が取り付けられるとともに、この筒状部１ｂの下端部に継手管１２が取り付けられている。弁座リング３の内側は第２ポート３ａとなっている。
【００２５】
主弁室１Ａ内には、副弁２が配設されている。図３に示すように、副弁２はガイド部材２１と弁座部材２２とで構成されている。ガイド部材２１は円盤部２１ａと３つのガイド板２１１，２１２，２１３とで構成されている。また、弁座部材２２は円盤部２１ａの中央に固着されており、この弁座部材２２の中央には弁ポート２２ａが形成されている。
【００２６】
弁ハウジング１の上部には固定金具４１によって支持部材４が固着されている。支持部材４には軸Ｌ方向に長いガイド孔４２が形成され、ガイド孔４２に連通する均圧孔４３が形成されている。また、固定金具４１には均圧孔４４が形成されている。ガイド孔４２には円筒状の弁ホルダ５が軸Ｌ方向に摺動可能に挿通されている。これにより、弁ホルダ５は支持部材４を介して弁ハウジング１に対して軸Ｌ方向に移動可能に支持されている。
【００２７】
弁ホルダ５は主弁室１Ａと同軸に取り付けられ、この弁ホルダ５の下端部には端部がニードル状でステンレス製の弁体５１が固着されている。弁体５１は、弁ホルダ５と共に軸Ｌ方向に移動することにより、弁ポート２２ａの開口面積を増減し、第１ポート１１ａから第２ポート３ａへ流れる流体の流量を制御して冷媒を絞る機能を果たす。なお、弁体５１は、図１に示すように最降下した全閉位置と、図２に示すように最上昇した全開位置との間で移動可能になっている。
【００２８】
また、弁ホルダ５は、ステッピングモータ６のロータ軸６１に係合している。すなわち、ロータ軸６１の下端部にはフランジ部６１ａが一体形成され、このフランジ部６１ａが弁ホルダ５の上端部と共にワッシャ５２を挟み込み、このロータ軸６１の下端部が弁ホルダ５の上端部で回転可能に係合している。この係合により、弁ホルダ５がロータ軸６１によって回転可能に吊り下げた状態で支持されている。また、弁ホルダ５内には、バネ受け５３が軸Ｌ方向に移動可能に設けられ、バネ受け５３と弁体５１との間には圧縮コイルバネ５４が所定の荷重を与えられた状態で取り付けられている。これにより、バネ受け５３は、上側に付勢され、ロータ軸６１の下端部に当接係合している。
【００２９】
ロータ軸６１には雄ねじ部６１ｂが形成されており、この雄ねじ部６１ｂは支持部材４に形成された雌ねじ部４ａに螺合している。これにより、ロータ軸６１は回転に伴って軸Ｌ線方向に移動する。
【００３０】
弁ハウジング１の上端には、ステッピングモータ６のケース６２が溶接等によって気密に固定されている。ケース６２内には、外周部を多極に着磁されたマグネットロータ６３が回転可能に設けられ、このマグネットロータ６３にはロータ軸６１が固着されている。なお、ケース６２の天井部にはマグネットロータ６３の回転を規制する回転ストッパ機構６４が設けられている。
【００３１】
また、ケース６２の外周には、ステータコイル６５が配設されており、ステッピングモータ６は、ステータコイル６５にパルス信号が与えられることにより、そのパルス数に応じてマグネットロータ６３を回転させる。そして、このマグネットロータ６３の回転によってマグネットロータ６３と一体のロータ軸６１が回転し、この回転に伴うロータ軸６１の軸Ｌ方向移動によって弁ホルダ５と共に弁体５１が軸Ｌ方向に移動する。
【００３２】
以上の構成により、実施形態の膨張弁１０は以下のように動作する。図１は継手管１１（第１ポート１１ａ）側から高圧冷媒が流入されて、冷媒流量が制御され、継手管１２（弁座リング３の第２ポート３ａ）から膨張された冷媒が流出する状態を示している。この場合、第１ポート１１ａ及び主弁室１Ａ内が高圧で第２ポート３ａ側が低圧となるため、その冷媒圧力の差圧により、副弁２は第２ポート３ａの周囲の副弁座３１に着座して、この第２ポート３ａを閉状態とする。そして、弁体５１の軸Ｌ方向位置をステッピングモータ６で制御することにより、主弁室１Ａから弁体５１と弁ポート２２ａとの間を介して流れる冷媒流量が制御される。
【００３３】
一方、圧縮機５０を停止するとともに流路切換弁４０を切り換える。このとき、ステッピングモータ６で制御して、弁体５１を副弁２から離間する方向（上方）に移動し、再び圧縮機５０を駆動する。これにより、継手管１２（第２ポート３ａ）側から高圧冷媒を流入して、継手管１１（第１ポート１１ａ）から冷媒を流出する状態とすると、第２ポート３ａが高圧で主弁室１Ａ及び第１ポート１１ａ側が低圧となる。そして、冷媒圧力の差圧により副弁２は副弁座３１から離間し、図２の状態になる。すなわち、第２ポート３ａは全開状態となる。これにより、第２ポート３ａと主弁室１Ａを介して第１ポート１１ａに冷媒が解放されて流通するようになる。
【００３４】
次に、副弁２の詳細について説明する。図４に示すように、副弁２のガイド部材２１は、ステンレス板のプレス加工により形成されており、主弁室１Ａの軸Ｌに直角に交差する円盤部２１ａと、この円盤部２１ａの周囲３箇所に立設された３つのガイド板２１１，２１２，２１３とを一体にして構成されている。各ガイド板２１１，２１２，２１３は平板状（フラット）であり、円盤部２１ａに対して軸Ｌと平行な方向にＬ形に立設されている。また、円盤部２１ａの中央には略円形の嵌合孔２１ｂが形成されている。
【００３５】
このガイド部材２１のプレス加工時にはプレスは２度に分けて行い、ガイド板２１１，２１２，２１３の部分は図３及び図４に示す矢印Ｐ１の方向からプレスしている。また、ガイド板２１１，２１２，２１３以外の円盤部２１ａの端部の部分は、図４に示す矢印Ｐ２の方向からプレスしている。
【００３６】
副弁２の弁座部材２２は、ステンレスの切削加工により形成されており、下部に円錐台状の副弁部２２１と、この副弁部２２１の外周に形成された円盤状のフランジ部２２２と、上部に形成された円環状の環状ボス部２２３を一体にして構成されている。環状ボス部２２３は端部にいくに従って肉薄になるように形成されている。
【００３７】
以上の構成により、副弁２は以下のように組み付ける。弁座部材２２の環状ボス部２２３をガイド部材２１の嵌合孔２１ｂ内に挿通し、フランジ部２２２を円盤部２１ａの裏面に突き当てた状態で環状ボス部２２３の端部を外周側に広げるようにかしめる。これによりガイド部材２１と弁座部材２２が結合される。そして、ガイド部材２１の円盤部２１ａの端部と、弁座部材２２のフランジ部２２２の端部との接合部分（図３(A) に円弧状破線で示す接合部分）にスポット溶接を施す。
【００３８】
かしめのみでガイド部材２１と弁座部材２２を結合する場合、環状ボス部２２３のかしめが甘いと、ガイド部材２１が弁座部材２２から脱落してしまう。逆にかしめが強すぎるとガイド部材２１が変形してしまい、弁ハウジングとの所定のクリアランスを確保できなくなる。その結果、最悪の場合、副弁２が弁ハウジング１内でロックしてしまう虞がある。また、スポット溶接のみでガイド部材２１と弁座部材２２を結合する場合、ガイド部材２１と弁座部材２２との間のクリアランスにより、ガイド部材２１の中心に弁座部材２２を保持することは困難である。そのため、前述のように環状ボス部２２３のかしめにより弁座部材２２に対するガイド部材２１の芯出しを行った後、スポット溶接を行うことにより、ガイド部材２１と弁座部材２２とを確実に固着することができるだけでなく、ガイド部材２１の中心に弁座部材２２を保持することができる。
【００３９】
なお、図４に二点鎖線の円で囲った拡大断面図に示すように、円盤部２１ａの端部にはプレス時のダレ面とバリが形成されているが、前記のように矢印Ｐ２の方向からプレスしているので、ダレ面は弁座部材２２のフランジ部２２２と反対側にでき、バリはフランジ部２２２側にできる。円盤部２１ａはフランジ部２２２より径が僅かに大きくなるように形成されており、バリをフランジ部２２２の外に出すことにより、スポット溶接時に、このバリ部分が溶融する。これにより、円盤部２１ａとフランジ部２２２とを隙間無く密着させることができ、より確実にスポット溶接することができる。
【００４０】
副弁２のガイド板２１１，２１２，２１３は平板状（フラット）であり、各ガイド板２１１，２１２，２１３の軸Ｌと平行な両端の縁が本体部１ａの内周面１ａ１（図３(A) 参照）に対して線接触で摺接し、主弁室１Ａ内で軸Ｌ方向に摺動可能となっている。また、ガイド板２１１，２１２，２１３は平板状であるので、ガイド板２１１，２１２，２１３と内周面１ａ１との間には間隙ができ、このガイド板２１１，２１２，２１３と内周面１ａ１との間にゴミ等が噛むことがなく、副弁２の摺動動作を安定した動作とすることができる。
【００４１】
さらに、この副弁２のガイド部材２１をプレス加工するとき、ガイド板２１１，２１２，２１３の部分は、図３に示す矢印Ｐ１の方向からプレスするので、内側がバリ面となり、線接触する部分はダレ面となる。したがって、副弁２の摺動動作を安定した動作とすることができる。
【００４２】
また、副弁２において、ガイド部材２１は薄板状のステンレス板で形成された軽量な部材であるので、例えば特許文献１の副弁（弁座部材２）の全体を切削加工で形成する従来に比べて、軽量化することができ、図１の状態から図２の状態に移行するとき、副弁２が容易に持ち上がり、安定した動作が得られる。さらに、弁座部材２２は切削加工により形成されているので、弁ポート２２ａを精度高く形成することができ、弁漏れを防止して信頼性の高い膨張弁が得られる。
【００４３】
なお、当該膨張弁の組立時に、弁座リング３は弁ハウジング１の筒状部１ｂ内に内側から圧入され、この筒状部１ｂに対して、リング状のろう材を継手管１２に嵌め込んだ状態で継手管１２が挿通される。継手管１１も同様なろう材を嵌め込んだ状態で本体部１ａに挿通される。そして、組み付けたアセンブリを、ろう付け装置のフラックス無炉中にて加熱することで、継手管１１，１２が弁ハウジング１に対してろう付けされる。ここで、ろう付け装置の雰囲気条件によっては、溶け出したろう材の流れる量を制御するのが困難な場合があり、ろう材が弁座リングの第２ポートを通って副弁座に流れ出すと、弁座リングと副弁との当接面にろう材が付着して形状を不均一にするので弁漏れが生じる虞がある。しかしながら、この実施形態の弁座リング３は第２ポート３ａの継手管１２側内周に溝３２を形成している。したがって、継手管１２の周囲から弁座リング３側に流れ出したろう材は溝３２に溜まり、弁座３１に達することがない。
【００４４】
以上の実施形態では、副弁２は、ガイド板２１１，２１２，２１３が平板状である場合について説明したが、図６(A) に示すように、内側に湾曲した曲面状のガイド板７１１，７１２，７１３を持つ副弁２′でもよい。なお、図６にといて前記実施形態（図３）と同様あるいは対応する要素は同符号を付記して説明は省略する。ガイド板７１１，７１２，７１３は、弁ハウジング１の内周面１ａ１と逆方向に湾曲している。このように、本体部１ａの内周面１ａ１とガイド板７１１，７１２，７１３との間に間隙ができればよい。この場合も、プレス加工によるバリは内側に形成する。
【００４５】
また、以上の実施形態では、副弁２，２′は、ガイド板が３枚の場合について説明したが、図６(B) に示すように、ガイド板８１１，８１２，８１３，８１４の４枚のガイド板を持つ副弁２″でもよい。このガイド板の枚数は３枚または４枚がよい。ガイド板の枚数が多くなると、本体部１ａの内周面１ａ１との間隙が狭くはり、ゴミ噛みが生じる可能性が高くなる。また、継手管１１と干渉するという問題も生じる。この４枚のガイド板も図６(A) に示すような、弁ハウジング１の内周面１ａ１と逆方向に湾曲した形状でもよい。この場合も、プレス加工によるバリは内側に形成する。
【００４６】
また、以上の実施形態では、副弁２はガイド部材２１と弁座部材２２とで構成した例について説明したが、副弁全体をプレス加工により形成したものでもよい。
【符号の説明】
【００４７】
１      弁ハウジング
１Ａ    主弁室
１ａ    本体部
１ａ１  内周面
１ｂ    筒状部
１１    継手管
１１ａ  第１ポート
１２    継手管
２      副弁
２１    ガイド部材
２２    弁座部材
２１ａ  円盤部
２１ｂ  嵌合孔
２１１，２１２，２１３  ガイド板
２２ａ  弁ポート２２ａ
２２１  副弁部
２２２  フランジ部
２２３  環状ボス部
３      弁座リング
３ａ    第２ポート
３１    副弁座
５      弁ホルダ
５１    弁体
６      ステッピングモータ
Ｌ      軸
【図１】
0005627612.tif 000002
【図２】
0005627612.tif 000003
【図３】
0005627612.tif 000004
【図４】
0005627612.tif 000005
【図５】
0005627612.tif 000006
【図６】
0005627612.tif 000007
【図７】
0005627612.tif 000008